(57)【要約】【課題】顕微鏡対物レンズにおいて、中胴内の空間を犠牲にすることなく標本等との接触に起因する衝撃を緩和する。【解決手段】顕微鏡対物レンズ１００は、顕微鏡に固定される外筒部１０と、外筒部１０に対して摺胴する中胴部２０と、スプリング３０を備える。中胴部２０は、筒形状の中胴２８と、中胴２８の内部に収容された複数のレンズ部組とを有する。スプリング３０は、外筒部１０と中胴部２０の間であって、複数のレンズ部組が配置された中胴２８の内側面２８ａよりも径方向外側に配置された、中胴部２０を軸方向に沿って物体側に付勢する弾性部材である。【選択図】図１
2018055010.tif 000002
【特許請求の範囲】
【請求項１】
顕微鏡に固定される外筒部と、
筒形状の中胴と、前記中胴の内部に収容された複数のレンズ部組とを有し、前記外筒部に対して摺胴する中胴部と、
前記外筒部と前記中胴部の間であって、前記複数のレンズ部組が配置された前記中胴の内側面よりも径方向外側に配置された、前記中胴部を軸方向に沿って物体側に付勢する弾性部材と、を備える
ことを特徴とする顕微鏡対物レンズ。
【請求項２】
請求項１に記載の顕微鏡対物レンズにおいて、
前記中胴部は、さらに、前記中胴の少なくとも物体側先端部分を覆うカバー部材を備え、
前記弾性部材は、前記外筒部と前記カバー部材との間に配置された
ことを特徴とする顕微鏡対物レンズ。
【請求項３】
請求項２に記載の顕微鏡対物レンズにおいて、
前記外筒部は、
前記顕微鏡に固定される固定部を有する外筒本体部と、
前記外筒部本体を覆うように設けられた外筒外側部と、を備え、
前記弾性部材は、前記外筒本体部と前記カバー部材との間に配置された
ことを特徴とする顕微鏡対物レンズ。
【請求項４】
請求項２に記載の顕微鏡対物レンズにおいて、
前記外筒部は、
前記顕微鏡に固定される固定部を有する外筒本体部と、
前記外筒部本体を覆うように設けられた外筒外側部と、を備え、
前記弾性部材は、前記外筒外側部と前記カバー部材との間に配置された
ことを特徴とする顕微鏡対物レンズ。
【請求項５】
請求項４に記載の顕微鏡対物レンズにおいて、
前記弾性部材は、前記外筒外側部と嵌合するために前記外筒本体部に設けられた嵌合部上で、当該弾性部材の一端が前記外筒外側部に接するように、配置された
ことを特徴とする顕微鏡対物レンズ。
【請求項６】
請求項２乃至請求項５のいずれか１項に記載の顕微鏡対物レンズにおいて、
前記カバー部材は、前記弾性部材が露出しないように前記弾性部材を前記径方向外側から覆っている
ことを特徴とする顕微鏡対物レンズ。
【請求項７】
請求項１に記載の顕微鏡対物レンズにおいて、
前記弾性部材は、前記外筒部と前記中胴との間に配置された
ことを特徴とする顕微鏡対物レンズ。
【請求項８】
請求項７に記載の顕微鏡対物レンズにおいて、
前記外筒部は、
前記顕微鏡に固定される固定部を有する外筒本体部と、
前記外筒部本体を覆うように設けられた外筒外側部と、を備え、
前記弾性部材は、前記外筒外側部と前記中胴との間に配置された
ことを特徴とする顕微鏡対物レンズ。
【請求項９】
請求項８に記載の顕微鏡対物レンズにおいて、
前記弾性部材は、前記外筒外側部と嵌合するために前記外筒本体部に設けられた嵌合部上で、当該弾性部材の一端が前記外筒外側部に接するように、配置された
ことを特徴とする顕微鏡対物レンズ。
【発明の詳細な説明】
【技術分野】
【０００１】
本発明の開示は、顕微鏡対物レンズに関する。
【背景技術】
【０００２】
従来から、標本等との接触時に生じる衝撃を緩和する緩衝機構を備える顕微鏡対物レンズが知られている。緩衝機構は、例えば、液浸対物レンズなど、標本等との接触が発生しやすい作動距離が短い対物レンズで採用されることが一般的であり、そのような対物レンズは、例えば、特許文献１に記載されている。
【０００３】
特許文献１に記載の対物レンズは、レンズ部組が収容される中筒（中胴ともいう）内部に配置されたスプリングが外筒に対して摺動する中筒を対物レンズの先端方向に付勢する構成を有している。
【先行技術文献】
【特許文献】
【０００４】
【特許文献１】特開平０７−３３３５１８号公報
【発明の概要】
【発明が解決しようとする課題】
【０００５】
ところで、開口数は、対物レンズの光学性能を示す主要な指標の一つであり、例えば、液浸対物レンズは、対物レンズと標本の間の空間を浸液で満たすことで高い開口数を実現している。開口数の更なる改善には、レンズの外径を大きくして対物レンズ内により多くの光を取り込むことが可能な構成を採用することが効果的である。
【０００６】
しかしながら、レンズの外径を大きくするほどレンズ部組を配置するための中胴内部の空間が不足するため、緩衝機構を構成するスプリングなどのレンズ部組以外の構造を配置する空間、及び、スプリングが伸縮する空間を中胴内部に確保することが困難となる。
【０００７】
以上のような実情を踏まえ、本発明の一側面に係る目的は、顕微鏡対物レンズにおいて、中胴内の空間を犠牲にすることなく標本等との接触に起因する衝撃を緩和することである。
【課題を解決するための手段】
【０００８】
本発明の一態様に係る顕微鏡対物レンズは、顕微鏡に固定される外筒部と、筒形状の中胴と前記中胴の内部に収容された複数のレンズ部組とを有し前記外筒部に対して摺胴する中胴部と、前記外筒部と前記中胴部の間であって、前記複数のレンズ部組が配置された前記中胴の内側面よりも径方向外側に配置された、前記中胴部を軸方向に沿って物体側に付勢する弾性部材と、を備える。
【発明の効果】
【０００９】
上述の態様によれば、顕微鏡対物レンズにおいて、中胴内の空間を犠牲にすることなく標本等との接触に起因する衝撃を緩和することができる。
【図面の簡単な説明】
【００１０】
【図１】実施例１に係る顕微鏡対物レンズの断面図である。
【図２】図１に示す顕微鏡対物レンズの拡大図である。
【図３】変形例に係る顕微鏡対物レンズの断面図である。
【図４】実施例２に係る顕微鏡対物レンズの断面図である。
【図５】実施例３に係る顕微鏡対物レンズの断面図である。
【図６】実施例４に係る顕微鏡対物レンズの断面図である。
【発明を実施するための形態】
【００１１】
（実施例１）
図１は、本実施例に係る顕微鏡対物レンズ１００の断面図であり、光軸ＡＸに沿った面における顕微鏡対物レンズ１００の断面を示している。図２は、顕微鏡対物レンズ１００の拡大図であり、スプリング３０近傍を拡大した図である。図１及び図２に示す顕微鏡対物レンズ１００は、顕微鏡対物レンズ１００の先端が標本等と接触したときに外筒部１０に対して中胴部２０が光軸方向に移動することで衝撃を緩和する緩衝構造を備える対物レンズである。
【００１２】
顕微鏡対物レンズ１００は、顕微鏡に固定される外筒部１０と、外筒部１０に対して摺動する中胴部２０と、中胴部２０を軸方向に沿って物体側に付勢する弾性部材であるスプリング３０を備える。ここで、軸方向とは、後述する筒形状を有する中胴２８の軸方向であり、光軸ＡＸの方向と同方向である。
【００１３】
外筒部１０は、外筒本体部１１と、外筒本体部１１を覆うように設けられた外筒外側部１２と、リング形状を有する押さえ環１３を備える。外筒本体部１１は、顕微鏡に固定される固定部１１ａを有する。固定部１１ａは、例えば、外筒本体部１１に形成されたねじ山である。固定部１１ａが顕微鏡のレボルバ等に螺合することで、外筒本体部１１が顕微鏡に固定される。なお、外筒本体部１１は、物体側の端部にも固定部を有している。押さえ環１３は、外筒本体部１１の物体側の端部に形成された固定部に螺合する。
【００１４】
外筒外側部１２は、外筒本体部１１をカバーするカバー部材である。外筒外側部１２の表面には、対物レンズの名称、スペックなどの情報が記載されている。外筒本体部１１と外筒外側部１２は、例えば接着剤によって、互いに固定される。
【００１５】
外筒本体部１１には、固定部１１ａとは反対の側である物体側から、中胴２８が挿入される。中胴２８が挿入された後、外筒本体部１１の物体側の端部に形成された固定部に押さえ環１３を螺合する。これにより、中胴２８が外筒本体部１１の内部から落下することが防止される。
【００１６】
中胴部２０は、筒形状の中胴２８と、中胴２８の内部に収容された複数のレンズ部組（レンズ部組２１、レンズ部組２２、レンズ部組２３、レンズ部組２４、レンズ部組２５、レンズ部組２６、レンズ部組２７）と、カバー部材２９を備える。
【００１７】
中胴２８は、内側面２８ａと、外筒本体部１１と接する摺動面２８ｂと、固定部２８ｃを有する。複数のレンズ部組は、内側面２８ａに配置される。より詳細には、複数のレンズ部組は、固定部１１ａ方向から中胴２８に挿入され、内側面２８ａに沿って軸方向に積層される。図示が省略されているが、すべてのレンズ部組が積層された後、中胴２８の端部のうちの固定部１１ａ側の端部に押さえ環を螺合することにより、レンズ部組が中胴２８に固定される。固定部２８ｃは、中胴２８に形成されたねじ山である。固定部２８ｃがカバー部材２９に螺合することで、カバー部材２９が中胴２８に固定される。
【００１８】
カバー部材２９は、中胴２８の少なくとも物体側先端部分を覆っている。カバー部材２９は、さらに、外筒外側部１２とカバー部材２９との間に配置されたスプリング３０が露出しないように、スプリング３０を径方向外側から覆っている。なお、径方向とは、軸方向と直交する方向である。
【００１９】
各レンズ部組は、レンズ（レンズＬ１、レンズＬ２、レンズＬ３、レンズＬ４ａ及びＬ４ｂ、レンズＬ５、レンズＬ６）とレンズを固定するレンズ枠（レンズ枠Ｆ１、レンズ枠Ｆ２、レンズ枠Ｆ３、レンズ枠Ｆ４、レンズ枠Ｆ５、レンズ枠Ｆ６、レンズ枠Ｆ７）からなり、それらは、例えば接着剤によって、互いに固定される。
【００２０】
スプリング３０は、例えばコイルバネである。材料は金属に限られず、プラスティック、ゴムなどの任意の弾性部材を使用することができる。スプリング３０は、外筒部１０と中胴部２０の間に、一端が外筒部１０に接し、他端が中胴部２０に接するように、配置される。また、スプリング３０は、レンズ部組によって使用されるべき中胴２８の内部の空間を無駄にしないように、中胴２８の内側面２８ａよりも径方向外側に配置される。
【００２１】
より詳細には、スプリング３０は、軸方向について外筒外側部１２とカバー部材２９との間に配置され、スプリング３０の一端は外筒外側部１２に接し、他端はカバー部材２９に接する。図２に示すように、外筒外側部１２に接するスプリング３０の一端は、嵌合部１１ｂに乗り上げていて、嵌合部１１ｂ上で外筒外側部１２に接している。嵌合部１１ｂは、外筒外側部１２と嵌合するために外筒本体部１１に設けられた構造である。嵌合部１１ｂは、軸方向に延びた嵌合部１１ｂの一部が外筒外側部１２からはみ出すように形成されている。外筒本体部１１と外筒外側部１２は、嵌合部１１ｂに塗布された接着剤によって互いに固定される。
【００２２】
以上のように構成された顕微鏡対物レンズ１００では、顕微鏡対物レンズ１００の先端部分が標本等に接触すると、外筒部１０と中胴部２０の間でスプリング３０が軸方向に沿って縮むことで接触に起因する衝撃が吸収され緩和される。このため、接触によって生じる標本等の損傷及び顕微鏡対物レンズ１００の破損を防止することができる。さらに、顕微鏡対物レンズ１００では、レンズ部組が配置される内側面２８ａよりも径方向外側にスプリング３０が配置される。従って、顕微鏡対物レンズ１００によれば、レンズ部組が収容される中胴２８内の空間を犠牲にすることなく、標本等との接触に起因する衝撃を緩和することができる。
【００２３】
また、顕微鏡対物レンズ１００の組み立て作業では、カバー部材２９でスプリング３０を外筒外側部１２に押し付けて、スプリング３０を押し縮めながらカバー部材２９に設けられた雌ねじと中胴２８に設けられた雄ねじ（固定部２８ｃ）を螺合する。これにより、カバー部材２９が中胴２８に対して固定される。このカバー部材２９の取り付け工程では、スプリング３０の外筒外側部１２側の一端が嵌合部１１ｂに乗り上げているため、その一端が外筒本体部１１とカバー部材２９によって径方向からしっかりと狭持される。従って、顕微鏡対物レンズ１００では、カバー部材２９でスプリング３０を押し縮めているときにスプリング３０の径方向への横揺れが生じにくい。このため、対物レンズの組み立て作業を効率良く行うことができる。
【００２４】
図３は、変形例に係る顕微鏡対物レンズ２００の断面図である。顕微鏡対物レンズ２００は、カバー部材と外筒外側部の間にスプリング３０が配置されている点は、顕微鏡対物レンズ１００と同じであるが、スプリング３０が顕微鏡対物レンズ１００の場合よりも像側（レボルバ側）に位置する点が異なる。これは、顕微鏡対物レンズ２００では、カバー部材５９が顕微鏡対物レンズ１００のカバー部材２９よりも軸方向に長く、外筒外側部４２が顕微鏡対物レンズ１００の外筒外側部１２よりも軸方向に短いためである。
【００２５】
なお、顕微鏡対物レンズ２００は、外筒本体部１１と外筒外側部４２を有する外筒部４０と、中胴２８と複数のレンズ部組とカバー部材５９を有する中胴部５０と、スプリング３０を備えている。
【００２６】
顕微鏡対物レンズ２００によっても、顕微鏡対物レンズ１００と同様に、レンズ部組が収容される中胴２８内の空間を犠牲にすることなく、標本等との接触に起因する衝撃を緩和することができる。さらに、顕微鏡対物レンズ２００では、カバー部材５９が大きくなって剛性が改善されるため、標本等との接触に起因する衝撃が効率よくスプリング３０に伝達される。このため、接触に起因する衝撃をスプリング３０で十分に吸収することができる。
【００２７】
（実施例２）
図４は、本実施例に係る顕微鏡対物レンズ３００の断面図であり、光軸ＡＸに沿った面における顕微鏡対物レンズ３００の断面を示している。図４に示す顕微鏡対物レンズ３００は、顕微鏡対物レンズ３００の先端が標本等と接触したときに外筒部６０に対して中胴部７０が光軸方向に移動することで衝撃を緩和する緩衝構造を備える対物レンズである。
【００２８】
顕微鏡対物レンズ３００は、顕微鏡に固定される外筒部６０と、外筒部６０に対して摺動する中胴部７０と、中胴部７０を軸方向に沿って物体側に付勢する弾性部材であるスプリング３０を備えていて、スプリング３０の配置が顕微鏡対物レンズ１００とは異なっている。
【００２９】
外筒部６０は、外筒本体部１１の代わりに、外筒本体部１１とは形状の異なる外筒本体部６１を有し、押さえ環１３の代わりに押さえ環６２を有する点が、顕微鏡対物レンズ１００の外筒部１０と異なる。外筒本体部６１は、顕微鏡に固定される固定部６１ａを有する。固定部６１ａは、例えば、外筒本体部６１に形成されたねじ山である。固定部６１ａが顕微鏡のレボルバ等に螺合することで、外筒本体部６１が顕微鏡に固定される。なお、外筒本体部６１は、外筒本体部１１と同様に物体側の端部にも固定部を有していて、押さえ環６２は物体側の端部に形成された固定部に螺合する。
【００３０】
中胴部７０は、中胴２８の代わりに中胴７８を有し、カバー部材２９の代わりにカバー部材７９を有する点が、顕微鏡対物レンズ１００の中胴部２０とは異なる。中胴７８は、複数のレンズ部組が配置される内側面７８ａと、外筒本体部６１と接する摺動面７８ｂと、固定部７８ｃを有する。固定部７８ｃは、中胴７８に形成されたねじ山である。固定部７８ｃがカバー部材７９に螺合することで、カバー部材７９が中胴７８に固定される。カバー部材７９は、中胴７８の少なくとも物体側先端部分を覆っている。カバー部材７９は、さらに、外筒本体部６１とカバー部材７９との間に配置されたスプリング３０が露出しないように、スプリング３０を径方向外側から覆っている。
【００３１】
顕微鏡対物レンズ３００は、スプリング３０が中胴７８の内側面７８ａよりも径方向外側に配置される点は、顕微鏡対物レンズ１００と同様である。顕微鏡対物レンズ３００は、スプリング３０が軸方向について外筒本体部６１とカバー部材７９との間に配置されている点が、顕微鏡対物レンズ１００とは異なる。スプリング３０の一端は外筒本体部６１に接し、他端はカバー部材７９に接している。
【００３２】
顕微鏡対物レンズ３００によっても、顕微鏡対物レンズ１００と同様に、レンズ部組が収容される中胴７８内の空間を犠牲にすることなく、標本等との接触に起因する衝撃を緩和することができる。
【００３３】
（実施例３）
図５は、本実施例に係る顕微鏡対物レンズ４００の断面図であり、光軸ＡＸに沿った面における顕微鏡対物レンズ４００の断面を示している。図５に示す顕微鏡対物レンズ４００は、顕微鏡対物レンズ４００の先端が標本等と接触したときに外筒部８０に対して中胴部９０が光軸方向に移動することで衝撃を緩和する緩衝構造を備える対物レンズである。
【００３４】
顕微鏡対物レンズ４００は、顕微鏡に固定される外筒部８０と、外筒部８０に対して摺動する中胴部９０と、中胴部９０を軸方向に沿って物体側に付勢する弾性部材であるスプリング３０を備えていて、スプリング３０の配置が顕微鏡対物レンズ１００とは異なっている。なお、外筒部８０と中胴部９０は、中胴部９０が外筒部８０から落下しないように、図示しない螺子部によって摺動自在に嵌合されている。例えば、径方向に貫通し且つ軸方向に長い貫通穴が外筒部８０に形成されていて、中胴部９０に固定された螺子がその貫通穴に嵌合することで、中胴部９０の落下を防止しつつ中胴部９０の摺動が可能となっていてもよい。
【００３５】
外筒部８０は、外筒本体部１１の代わりに、外筒本体部１１とは形状の異なる外筒本体部８１を有する点が、顕微鏡対物レンズ１００の外筒部１０と異なる。外筒本体部８１は、顕微鏡に固定される固定部８１ａを有する。固定部８１ａは、例えば、外筒本体部８１に形成されたねじ山である。固定部８１ａが顕微鏡のレボルバ等に螺合することで、外筒本体部８１が顕微鏡に固定される。
【００３６】
中胴部９０は、中胴２８の代わりに中胴９８を有し、カバー部材２９の代わりにカバー部材９９を有する点が、顕微鏡対物レンズ１００の中胴部２０とは異なる。中胴９８は、複数のレンズ部組が配置される内側面９８ａと、外筒本体部８１と接する摺動面９８ｂと、固定部９８ｃと、フランジ部９８ｄを有する。固定部９８ｃは、中胴９８に形成されたねじ山である。固定部９８ｃがカバー部材９９に螺合することで、カバー部材９９が中胴９８に固定される。フランジ部９８ｄは、径方向に突出した形状を有する。カバー部材９９は、中胴９８の少なくとも物体側先端部分を覆っている。カバー部材９９は、さらに、外筒外側部１２と中胴９８との間に配置されたスプリング３０が露出しないように、スプリング３０を径方向外側から覆っている。
【００３７】
顕微鏡対物レンズ４００は、スプリング３０が中胴９８の内側面９８ａよりも径方向外側に配置される点は、顕微鏡対物レンズ１００と同様である。顕微鏡対物レンズ４００は、スプリング３０が軸方向について外筒外側部１２と中胴９８との間に配置されている点が、顕微鏡対物レンズ１００とは異なる。より詳細には、外筒外側部１２と中胴９８のフランジ部９８ｄの間に配置されていて、スプリング３０の一端は外筒外側部１２に接し、他端はフランジ部９８ｄに接している。
【００３８】
顕微鏡対物レンズ４００によっても、顕微鏡対物レンズ１００と同様に、レンズ部組が収容される中胴９８内の空間を犠牲にすることなく、標本等との接触に起因する衝撃を緩和することができる。
【００３９】
また、顕微鏡対物レンズ４００では、スプリング３０の外筒外側部１２側の一端が外筒本体部８１の嵌合部に乗り上げているため、その一端が外筒本体部８１とカバー部材９９によって径方向からしっかりと狭持される。従って、顕微鏡対物レンズ４００でも、顕微鏡対物レンズ１００と同様に、カバー部材９９でスプリング３０を押し縮めているときにスプリング３０の径方向への横揺れが生じにくい。このため、対物レンズの組み立て作業を効率良く行うことができる点についても、顕微鏡対物レンズ１００と同様である。
【００４０】
（実施例４）
図６は、本実施例に係る顕微鏡対物レンズ５００の断面図であり、光軸ＡＸに沿った面における顕微鏡対物レンズ５００の断面を示している。図６に示す顕微鏡対物レンズ５００は、顕微鏡対物レンズ５００の先端が標本等と接触したときに外筒部８０に対して中胴部１１０が光軸方向に移動することで衝撃を緩和する緩衝構造を備える対物レンズである。なお、外筒部８０と中胴部１１０は、中胴部１１０が外筒部８０から落下しないように、図示しない螺子部によって摺動自在に嵌合されている。
【００４１】
顕微鏡対物レンズ５００は、顕微鏡に固定される外筒部８０と、外筒部８０に対して摺動する中胴部１１０と、中胴部１１０を軸方向に沿って物体側に付勢する弾性部材であるスプリング３０を備えていて、中胴部１１０の構造が顕微鏡対物レンズ１００とは異なっている。なお、外筒部８０は、実施例３に係る顕微鏡対物レンズ４００の外筒部８０と同様である。
【００４２】
中胴部１１０は、中胴２８及びカバー部材２９の代わりに中胴１１８を有する点が、顕微鏡対物レンズ１００の中胴部２０とは異なる。中胴１１８は、複数のレンズ部組が配置される内側面１１８ａと、外筒本体部８１と接する摺動面１１８ｂを有する。中胴１１８は、顕微鏡対物レンズ１００の中胴２８とカバー部材２９を一体化したものに相当する。このため、固定部２８ｃに相当する構成を有しない。中胴１１８は、外筒外側部１２と中胴１１８との間に配置されたスプリング３０が露出しないように、スプリング３０を径方向外側から覆っている。
【００４３】
顕微鏡対物レンズ５００は、スプリング３０が中胴１１８の内側面１１８ａよりも径方向外側に配置される点は、顕微鏡対物レンズ１００と同様である。顕微鏡対物レンズ５００は、スプリング３０が軸方向について外筒外側部１２と中胴１１８との間に配置されている点が、顕微鏡対物レンズ１００とは異なる。スプリング３０の一端は外筒外側部１２に接し、他端は中胴１１８に接している。
【００４４】
顕微鏡対物レンズ５００によっても、顕微鏡対物レンズ１００と同様に、レンズ部組が収容される中胴１１８内の空間を犠牲にすることなく、標本等との接触に起因する衝撃を緩和することができる。またスプリング３０の外筒外側部１２側の一端が外筒本体部８１の嵌合部に乗り上げているため、中胴１１８でスプリング３０を押し縮めているときにスプリング３０の径方向への横揺れが生じにくい。このため、対物レンズの組み立て作業を効率良く行うことができる点についても、顕微鏡対物レンズ１００と同様である。
【００４５】
さらに、顕微鏡対物レンズ５００では、顕微鏡対物レンズ１００の中胴２８とカバー部材２９を一体化した単一部品である中胴１１８を有している。このため、顕微鏡対物レンズ１００よりも部品点数を削減することができる。従って、顕微鏡対物レンズ５００によれば、部品点数の削減とそれに伴う組み立て工数の削減により、製造原価を抑えることができる。
【００４６】
上述した実施例は、発明の理解を容易にするための具体例を示したものであり、本発明の実施例はこれらに限定されるものではない。顕微鏡対物レンズは、特許請求の範囲の記載を逸脱しない範囲において、さまざまな変形、変更が可能である。
【００４７】
例えば、上述した実施例では、外筒本体部と外筒外側部を個別の部品として構成する例を示したが、外筒本体部と外筒外側部を一体化した単一の部品が用いられても良い。この場合、部品点数の削減とそれに伴う組み立て工数の削減により、製造原価をさらに抑えることができる。また、部品の一体化により部品の厚みが増すことで部品単体の剛性が改善されるため、顕微鏡対物レンズの剛性を改善することができる。
【符号の説明】
【００４８】
１０、４０、６０、８０・・・外筒部、１１、６１、８１・・・外筒本体部、１１ａ、２８ｃ、６１ａ、７８ｃ、８１ａ、９８ｃ・・・固定部、１１ｂ・・・嵌合部、１２、４２・・・外筒外側部、１３、６２・・・押さえ環、２０、５０、７０、９０、１１０・・・中胴部、２１、２２、２３、２４、２５、２６、２７・・・レンズ部組、２８、７８、９８、１１８・・・中胴、２８ａ、７８ａ、９８ａ、１１８ａ・・・内側面、２８ｂ、７８ｂ、９８ｂ、１１８ｂ・・・摺動面、２９、５９、７９、９９・・・カバー部材、３０・・・スプリング、９８ｄ・・・フランジ部、１００、２００、３００、４００、５００・・・顕微鏡対物レンズ、ＡＸ・・・光軸、Ｌ１、Ｌ２、Ｌ３、Ｌ４ａ、Ｌ４ｂ、Ｌ５、Ｌ６、Ｌ７・・・レンズ、Ｆ１、Ｆ２、Ｆ３、Ｆ４、Ｆ５、Ｆ６、Ｆ７・・・レンズ枠
【図１】
2018055010.tif 000003
【図２】
2018055010.tif 000004
【図３】
2018055010.tif 000005
【図４】
2018055010.tif 000006
【図５】
2018055010.tif 000007
【図６】
2018055010.tif 000008